(57)【特許請求の範囲】
【請求項１】
相手側コネクタと前後方向に沿って嵌合可能なコネクタであって、
前記相手側コネクタは相手側ロック部を有しており、
前記コネクタは、ハウジングと、コンタクトとを備えており、
前記ハウジングは、上壁部及び下壁部を有すると共に受容部を形成しており、
前記受容部は、前記コネクタと前記相手側コネクタとが嵌合した際に、前記相手側コネクタを受容し、
前記コンタクトは、前記ハウジングに保持されており、
前記コンタクトは、前記受容部内に突出しており、
前記受容部は、前記前後方向と直交する上下方向において前記上壁部と前記下壁部の間に位置しており、
前記上壁部の内面上には、ロック部と突起部とが設けられており、
前記コネクタと前記相手側コネクタとが嵌合した際に、前記ロック部は前記相手側ロック部にロックして前記コネクタの前記相手側コネクタに対する嵌合をロックし、
前記突起部は、前記上下方向において下方に突出しており、
前記コンタクトの前記前後方向における先端には、絶縁部が設けられており、
前記ハウジングには、前記受容部内において前記前後方向に延びると共に前記コンタクトを保持する保持部が形成されており、
前記絶縁部は、前記保持部の一部であり、
前記保持部は、前記コネクタを前記上下方向に沿って透視した場合、コの字状の形状を有している
コネクタ。
【請求項２】
請求項１記載のコネクタであって、
前記上壁部の前記内面上には、少なくとも２つの前記ロック部が設けられており、
前記突起部は、前記前後方向及び前記上下方向と直交する横方向において前記少なくとも２つの前記ロック部の間に位置している
コネクタ。
【請求項３】
請求項１又は請求項２記載のコネクタであって、
前記ロック部は、前記相手側ロック部を受容する孔である
コネクタ。
【請求項４】
請求項１から請求項３までのいずれかに記載のコネクタであって、
前記コンタクトは扁平形状を有している
コネクタ。
【請求項５】
請求項１から請求項４までのいずれかに記載のコネクタであって、
前記相手側コネクタは、バネ部を更に有しており、
前記相手側ロック部は、前記バネ部に支持されており、
前記ハウジングは、バネ収容部を有しており、
前記バネ収容部は、前記コネクタと前記相手側コネクタとが嵌合した際に、前記バネ部を収容し、
前記バネ収容部は、前記前後方向及び前記上下方向と直交する横方向において、前記突起部と並んでいる
コネクタ。
【請求項６】
請求項１から請求項４までのいずれかに記載のコネクタと、前記相手側コネクタとを備えるコネクタ組立体。
【請求項７】
請求項６記載のコネクタ組立体であって、
前記相手側コネクタは、２つの前記相手側ロック部と、前記２つの前記相手側ロック部を夫々支持する２つのバネ部と、前記２つのバネ部を連結する連結部とを有しており、
前記２つのバネ部は、前記前後方向及び前記上下方向と直交する横方向において、互いに離れて位置しており、
前記ハウジングは、２つのバネ収容部を有しており、
前記２つのバネ収容部は、前記コネクタと前記相手側コネクタとが嵌合した際に、前記２つのバネ部を夫々収容し、
前記突起部は、前記横方向において、前記２つのバネ収容部の間に位置している
コネクタ組立体。
【発明の詳細な説明】
【技術分野】
【０００１】
本発明は、相手側コネクタと嵌合可能なコネクタ及びコネクタ組立体に関する。
【背景技術】
【０００２】
図２１及び図２２を参照すると、特許文献１には、レセプタクル９５０と嵌合可能なコネクタ９００が開示されている。特許文献１のコネクタ９００は、ハウジング９１０と、ハウジング９１０に保持された雄端子９２０とを備えている。ハウジング９１０は、上壁部９３２を有すると共に受容部９１５を形成している。上壁部９３２の内面９３５上には、下方に突出した規制凸部９２５が設けられている。上壁部９３２の外面９４０上には、上方に突出したロック部９３０が設けられている。特許文献１のレセプタクル９５０は、雌端子９６０と、レセプタクルハウジング９６５とを備えている。レセプタクルハウジング９６５は、雌端子９６０を収容する雌端子収容部９８０と、ロックアーム９７０とを有している。ロックアーム９７０は、先端にロック爪９７５を有している。ロック爪９７５は、下方に突出している。コネクタ９００がレセプタクル９５０と嵌合すると、レセプタクル９５０のロックアーム９７０のロック爪９７５はコネクタ９００のロック部９３０と係合し、レセプタクル９５０の雌端子収容部９８０はコネクタ９００の受容部９１５に受容される。図２２を参照すると、ユーザーの指を模した試験指９９０がコネクタ９００の受容部９１５に挿入された場合、コネクタ９００の規制凸部９２５が試験指９９０に突き当たる。これにより、試験指９９０の先端が雄端子９２０の先端に接触することが防止される。
【先行技術文献】
【特許文献】
【０００３】
【特許文献１】特開２００２−０５６９１９号公報
【発明の概要】
【発明が解決しようとする課題】
【０００４】
本発明は、感電防止機能を確保しつつ、より小型化を図ることができるコネクタを提供することを目的とする。
【課題を解決するための手段】
【０００５】
本発明は、第１のコネクタとして、
相手側コネクタと前後方向に沿って嵌合可能なコネクタであって、
前記相手側コネクタは相手側ロック部を有しており、
前記コネクタは、ハウジングと、コンタクトとを備えており、
前記ハウジングは、上壁部及び下壁部を有すると共に受容部を形成しており、
前記受容部は、前記コネクタと前記相手側コネクタとが嵌合した際に、前記相手側コネクタを受容し、
前記コンタクトは、前記ハウジングに保持されており、
前記コンタクトは、前記受容部内に突出しており、
前記受容部は、前記前後方向と直交する上下方向において前記上壁部と前記下壁部の間に位置しており、
前記上壁部の内面上には、ロック部と突起部とが設けられており、
前記コネクタと前記相手側コネクタとが嵌合した際に、前記ロック部は前記相手側ロック部にロックして前記コネクタの前記相手側コネクタに対する嵌合をロックし、
前記突起部は、前記上下方向において下方に突出している
コネクタを提供する。
【０００６】
また、本発明は、第２のコネクタとして、第１のコネクタであって、
前記上壁部の内面上には、少なくとも２つの前記ロック部が設けられており、
前記突起部は、前記前後方向及び前記上下方向と直交する横方向において前記少なくとも２つの前記ロック部の間に位置している
コネクタを提供する。
【０００７】
また、本発明は、第３のコネクタとして、第１又は第２のコネクタであって、
前記ロック部は、前記相手側ロック部を受容する孔である
コネクタを提供する。
【０００８】
また、本発明は、第４のコネクタとして、第１から第３までのいずれかのコネクタであって
前記コンタクトの前記前後方向における先端には、絶縁部が設けられている
コネクタを提供する。
【０００９】
また、本発明は、第５のコネクタとして、第４のコネクタであって、
前記ハウジングには、前記受容部内において前記前後方向に延びると共に前記コンタクトを保持する保持部が形成されており、
前記絶縁部は、前記保持部の一部である
コネクタを提供する。
【００１０】
また、本発明は、第６のコネクタとして、第１から第５までのいずれかのコネクタであって、
前記コンタクトは扁平形状を有している
コネクタを提供する。
【００１１】
また、本発明は、第７のコネクタとして、第１から第６までのいずれかのコネクタであって、
前記相手側コネクタは、バネ部を更に有しており、
前記相手側ロック部は、前記バネ部に支持されており、
前記ハウジングは、バネ収容部を有しており、
前記バネ収容部は、前記コネクタと前記相手側コネクタとが嵌合した際に、前記バネ部を収容し、
前記バネ収容部は、前記前後方向及び前記上下方向と直交する横方向において、前記突起部と並んでいる
コネクタを提供する。
【００１２】
また、本発明は、第１のコネクタ組立体として、
第１から第６までのいずれかのコネクタと、相手側コネクタを備えたコネクタ組立体を提供する。
【００１３】
また、本発明は、第２のコネクタ組立体として、第１のコネクタ組立体であって、
前記相手側コネクタは、２つの前記相手側ロック部と、前記２つの前記相手側ロック部を夫々支持する２つのバネ部と、前記２つのバネ部を連結する連結部とを有しており、
前記２つのバネ部は、前記前後方向及び前記上下方向と直交する横方向において、互いに離れて位置しており、
前記ハウジングは、２つのバネ収容部を有しており、
前記２つのバネ収容部は、前記コネクタと前記相手側コネクタとが嵌合した際に、前記２つのバネ部を夫々収容し、
前記突起部は、前記横方向において、前記２つのバネ収容部の間に位置している
コネクタ組立体を提供する。
【発明の効果】
【００１４】
突起部は上壁部の内面から上下方向において下方に突出しており、突起部の周辺にはスペースが生じている。このスペースを活用してロック部も上壁部の内面上に設けられている。このため、ハウジングの上壁部の外面上から上方に突出しているロック部を有する特許文献１のコネクタと比較して、感電防止機能を確保しつつより小型化を図ることができる。
【図面の簡単な説明】
【００１５】
【図１】本発明の実施の形態によるコネクタを示す上側斜視図である。
【図２】図１のコネクタのハウジングの一部を切り欠いて示す上側斜視図である。
【図３】図１のコネクタのハウジングの一部を切り欠いて示す他の上側斜視図である。
【図４】図１のコネクタを示す正面図である。
【図５】図４のコネクタに試験指を挿入した状態を示す正面図である。
【図６】図５のコネクタをＡ−Ａ線に沿って示す断面図である。なお、芯線と芯線保持部は簡略化して示す。
【図７】図１のコネクタを示す分解斜視図である。
【図８】図３のコネクタを示す分解斜視図である。ここで、コンタクトはケーブルに取り付けられている。
【図９】本発明の実施の形態による相手側コネクタを示す上側斜視図である。
【図１０】図９の相手側コネクタのハウジングの一部を切り欠いて示す上側斜視図である。
【図１１】図９の相手側コネクタを示す正面図である。
【図１２】図９の相手側コネクタの分解斜視図である。
【図１３】図１０の相手側コネクタの分解斜視図である。ここで、相手側コンタクトはケーブルに取り付けられている。
【図１４】図１のコネクタと図９の相手側コネクタとからなるコネクタ組立体を示す上側斜視図である。ここで、コネクタと相手側コネクタとは嵌合状態にある。
【図１５】図１４のコネクタ組立体を示す上面図である。
【図１６】図１５のコネク組立体をＢ−Ｂ線に沿って示す断面図である。なお、芯線と芯線保持部は簡略化して示す。
【図１７】図１５のコネクタ組立体をＣ−Ｃ線に沿って示す断面図である。なお、芯線と芯線保持部は簡略化して示す。
【図１８】図１４のコネクタ組立体を示す上面図である。ここで、コネクタと相手側コネクタとは嵌合していない。
【図１９】図１８のコネクタ組立体をＤ−Ｄ線に沿って示す断面図である。なお、芯線と芯線保持部は簡略化して示す。
【図２０】図１８のコネクタ組立体をＥ−Ｅ線に沿って示す断面図である。なお、芯線と芯線保持部は簡略化して示す。
【図２１】特許文献１のコネクタ組立体を示す断面図である。
【図２２】図２１のコネクタ組立体に含まれるコネクタに試験指を挿入した状態を示す断面図である。
【発明を実施するための形態】
【００１６】
図１、図９及び図１４を参照すると、本発明の実施の形態によるコネクタ組立体１０は、コネクタ１００と相手側コネクタ４００とを備えている。
【００１７】
図１、図９及び図１４から理解されるように、本発明の実施の形態によるコネクタ１００は、ケーブル７００に接続されると共に前後方向に沿って相手側コネクタ４００と嵌合可能なものである。コネクタ１００と相手側コネクタ４００との具体的な接続については、後述する。本実施の形態において、前後方向はＹ方向である。
【００１８】
図１から図５までに示されるように、本実施の形態のコネクタ１００は、絶縁体からなるハウジング２００と、ハウジング２００に保持された金属製のコンタクト３００とを備えている。
【００１９】
図１から図５までに示されるように、ハウジング２００は、相手側コネクタ４００と嵌合する嵌合部２１０と、ケーブル保持部２６０とを有している。ケーブル保持部２６０は、前後方向において嵌合部２１０の後方に位置している。後方は＋Ｙ方向であり、前方は−Ｙ方向である。
【００２０】
図１から図５までに示されるように、嵌合部２１０は、上壁部２３０、下壁部２４０、２つの側壁部２１８及び後壁部２１６とを有すると共に受容部２５０を形成している。上壁部２３０は、上下方向において下壁部２４０の上方に位置している。本実施の形態において、上下方向はＺ方向である。上方は＋Ｚ方向であり、下方は−Ｚ方向である。２つの側壁部２１８は、前後方向及び上下方向と直交する横方向において互いに対向している。本実施の形態において、横方向はＸ方向である。後壁部２１６は、前後方向において、嵌合部２１０の後端であってケーブル保持部２６０の前端に位置している。受容部２５０は、上下方向において上壁部２３０と下壁部２４０の間に位置しており且つ横方向において２つの側壁部２１８の間に位置している。受容部２５０は、前端において開口している開口部２５２を有している。
【００２１】
図１から図５まで及び図２０から理解されるように、上壁部２３０の内面上には、２つのロック部２３２と、突起部２３４とが設けられている。本実施の形態のロック部２３２は、上壁部２３０を上下方向に貫通する孔の内面のうち前側の面の部分である。突起部２３４は、上下方向において下方に突出しており、横方向において２つのロック部２３２の間に位置している。なお、突起部２３４は、ロック部２３２と前後方向において並んでいなくてもよい。
【００２２】
図１から図５までから理解されるように、嵌合部２１０には、受容部２５０内において後壁部２１６から前方に延びると共にコンタクト３００を保持する保持部２１４が形成されている。保持部２１４は、コネクタ１００を上下方向に沿って透視した場合、コの字状の形状を有している。保持部２１４は、前後方向と直交する平面内においてＨ形状の断面を有している。保持部２１４は、前後方向において保持部２１４の前端に位置する絶縁部２１２を有している。換言すれば、絶縁部２１２は、保持部２１４の一部である。これにより、コネクタ１００の部品点数が削減されると共に、コンタクト３００をハウジング２００に対して強固に保持させることができる。
【００２３】
図１から図３までに示されるように、嵌合部２１０は、２つのバネ収容部２２０を更に有している。バネ収容部２２０は、受容部２５０の上方であって上壁部２３０の内面近傍に位置している。バネ収容部２２０は、横方向において、突起部２３４と並んでいる。換言すれば、突起部２３４は、横方向において、２つのバネ収容部２２０の間に位置している。
【００２４】
図１から図６まで及び図８から理解されるように、ケーブル保持部２６０は、ケーブル７００の前端を保持している。また、ケーブル保持部２６０は、コンタクト３００を固定するためのコンタクト固定部２７０を有している。コンタクト固定部２７０は、前方に延びると共に上方に延びている。コンタクト固定部２７０の前端は自由端であり、下方に弾性変形可能となっている。
【００２５】
図３、図７及び図８に示されるように、本実施の形態のコンタクト３００は、扁平形状を有している。これにより、大電流化に対応するようにコンタクト３００の前後方向と直交する断面の断面積を増大させる場合、コンタクト３００の上下方向の寸法を大きくすることなく、接触部３０５の横方向の寸法を大きくすることにより対応することができる。従って、コネクタ１００の上下方向の寸法の大型化を避けることができる。
【００２６】
図１から図３まで及び図６に示されるように、本実施の形態のコンタクト３００は、嵌合部２１０の受容部２５０内に突出している。またコンタクト３００の前端は、絶縁部２１２の後端に突き当たっている。
【００２７】
図３、図４及び図６から図８までから理解されるように、本実施の形態のコンタクト３００は、接触部３０５と、芯線保持部３１０と、被固定部３２０とを有している。接触部３０５は、嵌合部２１０の受容部２５０内に位置している。芯線保持部３１０は、ケーブル７００の芯線７１０を保持するものであり、ケーブル保持部２６０内に位置している。また、芯線保持部３１０は、ケーブル７００の芯線７１０が取り付けられていない状態で、前後方向と直交する平面内においてＵ字形状の断面を有している。被固定部３２０は、前後方向において接触部３０５と芯線保持部３１０との間に位置しており、前方から後方に向かうに連れて下方に傾斜した形状を有している。
【００２８】
図６から図８までを参照すると、コネクタ１００は、ケーブル７００をコンタクト３００に取り付けた後、ハウジング２００にコンタクト３００を取り付けることにより組み立てられる。具体的には、まず、Ｕ字形状に開いた芯線保持部３１０に対して、ケーブル７００の芯線７１０を挿入した後、芯線保持部３１０を芯線７１０に対して圧着することにより、芯線保持部３１０を芯線７１０に固定する。その後、上述のようにケーブル７００の芯線７１０を固定したコンタクト３００を、ハウジング２００の後端から開口部２５２に向けて挿入すると、コンタクト３００の接触部３０５の被固定部３２０がコンタクト固定部２７０と接触して、コンタクト固定部２７０の前端近傍、即ち自由端近傍は下方に押し下げられる。さらにコンタクト３００の挿入を継続すると、被固定部３２０の後端はコンタクト固定部２７０の自由端を乗り越えると共にコンタクト３００の接触部３０５の前端は絶縁部２１２の後端と突き当たる。このとき、コンタクト固定部２７０は自らの弾性により元の形状に戻り、被固定部３２０の後端とコンタクト固定部２７０の自由端とが前後方向において突き当たる。これにより、コンタクト３００はハウジング２００内に固定される。
【００２９】
図６を参照すると、ユーザーの指を模した試験指８００をコネクタ１００の受容部２５０の開口部２５２から後壁部２１６に向けて挿入した場合、試験指８００は、コンタクト３００の接触部３０５と接触する前に、突起部２３４と突き当たる。即ち、本実施の形態のコネクタ１００は、突起部２３４を有することにより、受容部２５０に指が誤って挿入された場合において、コンタクト３００への指の接触が防止される。
【００３０】
加えて、図６を参照すると、コンタクト３００の接触部３０５の前方には保持部２１４の絶縁部２１２が位置していることから、試験指８００を受容部２５０内に挿入した場合、試験指８００は、コンタクト３００の接触部３０５と接触する前に、絶縁部２１２に突き当たる。即ち、本実施の形態のコネクタ１００は、絶縁部２１２を有することにより、受容部２５０に指が誤って挿入された場合において、コンタクト３００への指の接触が更に防止される。
【００３１】
図９から図１３までから理解されるように、本発明の実施の形態による相手側コネクタ４００は、ケーブル７５０に接続されると共に前後方向に沿ってコネクタ１００と嵌合可能なものである。コネクタ１００と相手側コネクタ４００との具体的な接続については、後述する。
【００３２】
図９から図１３まで示されるように、本実施の形態の相手側コネクタ４００は、相手側ハウジング５００と、相手側コンタクト６００とを備えている。
【００３３】
図９から図１３までに示されるように、相手側ハウジング５００は、上下方向において対向する上壁部５０２及び下壁部５０４と、横方向において対向する２つの側壁部５０６とを有している。上壁部５０２は、上下方向において下壁部５０４の上方に位置している。上壁部５０２と下壁部５０４と２つの側壁部５０６は、コネクタ受容部５５０を形成している。コネクタ受容部５５０は、コネクタ１００と相手側コネクタ４００とが嵌合した際に、コネクタ１００の接触部３０５と保持部２１４とを受容するものである。
【００３４】
図９から図１３までと、図１９及び図２０に示されるように、相手側ハウジング５００は、２つの相手側ロック部５１０と、２つの相手側ロック部５１０を夫々支持する２つのバネ部５２０と、２つのバネ部５２０を連結する連結部５３０と、２つの接続部５３５とを更に有している。
【００３５】
図９から図１３までと、図１９及び図２０に示されるように、本実施の形態の相手側ロック部５１０は、上方に突出した突起である。より具体的には、相手側ロック部５１０は−Ｙ側から＋Ｙ側に向けて下方に傾斜する斜面を有しており、相手側ロック部５１０の−Ｙ側端は前後方向と直交する平面となっている。相手側ロック部５１０は、バネ部５２０の上面上であってバネ部５２０の−Ｙ側端近傍に夫々位置している。２つのバネ部５２０は、横方向において互いに離れて位置している。連結部５３０は、バネ部５２０の−Ｙ側に位置しており、上壁部５０２の外面から上下方向において離れて位置している。接続部５３５は、バネ部５２０の＋Ｙ側端であって上壁部５０２の外面の＋Ｙ側端近傍に位置しており、バネ部５２０と上壁部５０２の外面とを接続している。バネ部５２０は接続部５３５に固定された状態で弾性変形可能となっているので、相手側ロック部５１０は上下方向に移動可能となっている。
【００３６】
図９から図１３までと、図１９及び図２０に示されるように、相手側ハウジング５００は、スリット５４０と、２つの相手側コンタクト固定部材５６２とを更に有している。
【００３７】
スリット５４０は、コネクタ１００と相手側コネクタ４００とが嵌合した際に、コネクタ１００の突起部２３４を収容するものであり、横方向において２つのバネ部５２０の間に位置している。下壁部５０４には溝５０５が形成されており、溝５０５の内側には＋Ｙ方向に延びる相手側コンタクト固定部材５６２が位置している。即ち、相手側コンタクト固定部材５６２は、−Ｙ側端のみ下壁部５０４と連結されている。相手側コンタクト固定部材５６２の＋Ｙ側端近傍には、２つの相手側コンタクト固定部５６０が設けられている。相手側コンタクト固定部５６０は、夫々上方に突出しており、且つ、横方向に並ぶように配置されている。より具体的には、相手側コンタクト固定部５６０は＋Ｙ側から−Ｙ側に向けて下方に傾斜する斜面を有しており、相手側コンタクト固定部５６０の＋Ｙ側端は前後方向と直交する平面となっている。相手側コンタクト固定部材５６２は−Ｙ側端部を支点として弾性変形可能となっているので、相手側コンタクト固定部５６０は上下方向に移動可能となっている。
【００３８】
図１０から図１３までに示されるように、相手側コンタクト６００は、２つの上側接触部６１２と、２つの下側接触部６１６と、接触部保持部６４０と、芯線保持部６２０と、２つの被固定部６３０とを有している。
【００３９】
図９から図１１までと、図１３、図１９及び図２０に示されるように、２つの上側接触部６１２は、上下方向において２つの下側接触部６１６と夫々対向するように配置されている。上側接触部６１２は、夫々上側接点６１４を有している。下側接触部６１６は、夫々下側接点６１８を有している。接触部保持部６４０は、２つの上側接触部６１２と、２つの下側接触部６１６とを保持すると共にコネクタ受容部５５０内に位置している。芯線保持部６２０は、ケーブル７５０の芯線７６０を保持するものであり、相手側ハウジング５００内に位置している。芯線保持部６２０は、ケーブル７５０の芯線７６０が取り付けられていない状態で、前後方向と直交する平面内においてＵ字形状の断面を有している。被固定部６３０は、接触部保持部６４０の下面を上下方向に貫通する孔である。
【００４０】
図１２及び図１３を参照すると、相手側コネクタ４００は、ケーブル７５０を相手側コンタクト６００に取り付けた後、相手側ハウジング５００に相手側コンタクト６００を取り付けることにより組み立てられる。具体的には、まず、Ｕ字形状に開いた芯線保持部６２０に対して、ケーブル７５０の芯線７６０を挿入した後、芯線保持部６２０を芯線７６０に対して圧着することにより、芯線保持部６２０を芯線７６０に固定する。その後、上述のようにケーブル７５０の芯線７６０を固定した相手側コンタクト６００を、相手側ハウジング５００の−Ｙ側端から＋Ｙ側端に向けて挿入すると、相手側コンタクト６００の下面の＋Ｙ側端が相手側コンタクト固定部５６０と接触して、相手側コンタクト固定部５６０は下方に押し下げられる。さらに相手側コンタクト６００の挿入を継続すると、被固定部６３０の＋Ｙ側端は、相手側コンタクト固定部５６０を乗り越えて相手側コンタクト固定部５６０の＋Ｙ側端よりも＋Ｙ側の位置に達する。このとき、相手側コンタクト固定部材５６２は自らの弾性により元の形状に戻り、相手側コンタクト固定部５６０は被固定部６３０の孔に夫々受容される。これにより、相手側コンタクト６００は相手側ハウジング５００内に固定される。
【００４１】
図１、図９及び図１４から図２０までを参照して、コネクタ１００と相手側コネクタ４００とが嵌合した際に、ロック部２３２は相手側ロック部５１０に夫々ロックしてコネクタ１００の相手側コネクタ４００に対する嵌合をロックする。より具体的には、コネクタ１００と相手側コネクタ４００とが嵌合した際に、ロック部２３２の孔に相手側ロック部５１０の突起が受容されることにより、コネクタ１００の相手側コネクタ４００に対する嵌合はロックされる。この際、コネクタ１００と相手側コネクタ４００とが前後方向において互いに離れる方向に向かう力を夫々受けたとしても、ロック部２３２の孔の内面のうちの前面（−Ｙ側の面）が、相手側ロック部５１０の突起の−Ｙ側端の平面に突き当たるため、コネクタ１００の相手側コネクタ４００に対する嵌合状態が維持される。
【００４２】
図１、図９及び図１４から図２０までから理解されるように、コネクタ１００の受容部２５０は、コネクタ１００と相手側コネクタ４００とが嵌合した際に、相手側コネクタ４００を受容する。また、コネクタ１００と相手側コネクタ４００とが嵌合した際に、相手側コネクタ４００のコネクタ受容部５５０は、コネクタ１００の接触部３０５と保持部２１４とを受容する。
【００４３】
図１、図９及び図１４から図２０までから理解されるように、コネクタ１００の２つのバネ収容部２２０は、コネクタ１００と相手側コネクタ４００とが嵌合した際に、相手側コネクタ４００の２つのバネ部５２０を夫々収容する。また、コネクタ１００の突起部２３４は、コネクタ１００と相手側コネクタ４００とが嵌合した際には、相手側コネクタ４００のスリット５４０に収容される。
【００４４】
図１、図９及び図１４から図２０までから理解されるように、コネクタ１００と相手側コネクタ４００とが嵌合した際には、コネクタ１００のコンタクト３００の接触部３０５は、相手側コネクタ４００の相手側コンタクト６００の上側接触部６１２及び下側接触部６１６と接触する。より具体的には、コネクタ１００と相手側コネクタ４００とが嵌合した際には、コネクタ１００のコンタクト３００の接触部３０５の上面は、相手側コネクタ４００の相手側コンタクト６００の上側接触部６１２の上側接点６１４と接触し、コネクタ１００のコンタクト３００の接触部３０５の下面は、相手側コネクタ４００の相手側コンタクト６００の下側接触部６１６の下側接点６１８と接触する。
【００４５】
以上、本発明について実施の形態を掲げて具体的に説明してきたが本発明は、これに限定されるものではない。
【００４６】
上述した実施の形態のコネクタ１００は、１つの突起部２３４と２つのロック部２３２を有するものであったが、２つの突起部と、その２つの突起部の間に位置する１つのロック部を有するものであってもよい。但し、この場合、受容部２５０に指が挿入された際に、指が２つの突起部に突き当たることにより、コンタクト３００との接触を防止できるよう、２つの突起部が配置されている必要がある。
【００４７】
上述した実施の形態のコネクタ１００において、ロック部２３２は上下方向に貫通する孔であったが、相手側ロック部５１０を受容できる限り、上方に貫通していなくてもよい。即ち、ロック部２３２は、上方に凹んだ凹部であってもよい。
【００４８】
加えて、上述した実施の形態のコネクタ組立体１０において、ロック部２３２は上下方向に貫通する孔であり、相手側ロック部５１０は上方に突出した突起であったが、ロック部２３２が上下方向において下方に突出した突起であり、相手側ロック部５１０が上下方向に貫通する孔又は下方に凹んだ凹部であってよい。
【００４９】
上述した実施の形態のコネクタ１００はケーブル７００に接続されるものであったが、コネクタ１００は回路基板（図示せず）に搭載されるものであってもよい。この場合、コネクタ１００のコンタクト３００は、ＳＭＴ（Surface mount technology：表面実装）用の端子を有していてもよいし、ＴＨＴ（Through-hole technology：スルーホール実装）用の端子を有していてもよい。
【符号の説明】
【００５０】
１０          コネクタ組立体
１００          コネクタ
２００          ハウジング
２１０          嵌合部
２１２          絶縁部
２１４          保持部
２１６          後壁部
２１８          側壁部
２２０          バネ収容部
２３０          上壁部
２３２          ロック部
２３４          突起部
２４０          下壁部
２５０          受容部
２５２          開口部
２６０          ケーブル保持部
２７０          コンタクト固定部
３００          コンタクト
３０５          接触部
３１０          芯線保持部
３２０          被固定部
４００          相手側コネクタ
５００          相手側ハウジング
５０２          上壁部
５０４          下壁部
５０５          溝
５０６          側壁部
５１０          相手側ロック部
５２０          バネ部
５３０          連結部
５３５          接続部
５４０          スリット
５５０          コネクタ受容部
５６０          相手側コンタクト固定部
５６２          相手側コンタクト固定部材
６００          相手側コンタクト
６１２          上側接触部
６１４          上側接点
６１６          下側接触部
６１８          下側接点
６２０          芯線保持部
６３０          被固定部
６４０          接触部保持部
７００，７５０  ケーブル
７１０，７６０  芯線
８００          試験指
【図１】
0006605333.tif 000002
【図２】
0006605333.tif 000003
【図３】
0006605333.tif 000004
【図４】
0006605333.tif 000005
【図５】
0006605333.tif 000006
【図６】
0006605333.tif 000007
【図７】
0006605333.tif 000008
【図８】
0006605333.tif 000009
【図９】
0006605333.tif 000010
【図１０】
0006605333.tif 000011
【図１１】
0006605333.tif 000012
【図１２】
0006605333.tif 000013
【図１３】
0006605333.tif 000014
【図１４】
0006605333.tif 000015
【図１５】
0006605333.tif 000016
【図１６】
0006605333.tif 000017
【図１７】
0006605333.tif 000018
【図１８】
0006605333.tif 000019
【図１９】
0006605333.tif 000020
【図２０】
0006605333.tif 000021
【図２１】
0006605333.tif 000022
【図２２】
0006605333.tif 000023